(57)【要約】【課題】  ベルトコンベアを用いてパチンコ玉を搬送させるのではなく、振動を利用してパチンコ玉を移動させることにより、その構造を簡単にさせると共に設備コストを低減させ、かつ保守点検や調整など、メンテナンスを簡略にさせることができるパチンコ島の提供。【解決手段】  パチンコ玉１２を各パチンコ機に供給させる上部搬送装置５の搬送フレーム５ａに振動装置６が取り付けられると共に、この搬送フレームのパチンコ玉搬送面５０が下り勾配に形成され、パチンコ玉搬送面に載置されたパチンコ玉を振動装置の振動によって搬送始端部から搬送終端部に向けて移動させる。【選択図】  図２
2008104580.tif 000002
【特許請求の範囲】
【請求項１】
島台に複数台のパチンコ機が左右方向に並設されているパチンコ島において、
各パチンコ機から排出されたパチンコ玉を回収する排玉回収路と、この排玉回収路で回収したパチンコ玉を島台の上方に設けた補給玉タンクに揚送させる揚送装置と、この補給玉タンクからのパチンコ玉を各パチンコ機に供給させる上部搬送装置と、前記補給玉タンクからのパチンコ玉を上部搬送装置内に流下させる流下シュートと、前記上部搬送装置の搬送終端部から落下した溢れ玉を前記排玉回収路に導く溢れ玉回収路とを備えており、
前記上部搬送装置は、島台の上部に弾性部材により弾性支持された状態で各パチンコ機の上方を通るように左右方向に延長して設けられると共に上面がパチンコ玉搬送面に形成された搬送フレームと、前記搬送フレームの両側に沿って島台の上部に左右方向に延長して設けられると共に上面が前記搬送フレームのパチンコ玉搬送面に連続する玉受け面に形成された玉受けプレートと、この玉受けプレートの外縁に設けられた各パチンコ機への玉供給シュートを備え、
前記搬送フレームに振動装置が取り付けられると共に、この搬送フレームの上面に形成されたパチンコ玉搬送面が搬送始端部から搬送終端部に向けて下り勾配に形成され、この下り勾配のパチンコ玉搬送面に載置されたパチンコ玉を前記振動装置の振動によって搬送始端部から搬送終端部に向けて移動させるように形成されていることを特徴とするパチンコ島。
【請求項２】
請求項１記載のパチンコ島において、前記各玉供給シュートにそれぞれパチンコ玉の玉通過の有無を検出する玉通過センサが設けられ、パチンコ玉の通過を検出した玉通過センサの数に応じて前記振動装置の回転速度を増減させるように形成されているパチンコ島。
【発明の詳細な説明】
【技術分野】
【０００１】
本発明は、パチンコ玉を内部で循環させるようにしたパチンコ島において、パチンコ玉を搬送させながら各パチンコ機に供給させるようにしたパチンコ玉搬送技術に関する。
【背景技術】
【０００２】
従来、パチンコ玉を内部で循環させるようにしたパチンコ島として、各パチンコ機から排出されたパチンコ玉を回収する排玉回収路と、この排玉回収路で回収したパチンコ玉を島台の上方に揚送させる揚送装置と、この揚送装置で揚送させたパチンコ玉を各パチンコ機に供給させる上部搬送装置を備え、この上部搬送装置に、各パチンコ機の上方を通るように島台の上部に左右方向に延長してベルトコンベアが設けられているものが知られている（特許文献１参照）。
【０００３】
このようにベルトコンベアを用いると、揚送装置から各パチンコ機毎に傾斜樋によってパチンコ玉を分配させるようにした従前のパチンコ島に比べ、パチンコ島の高さを低く抑えることができる。
これにより、遊技場内が開放的になるし、見通しも良好になり、また、遊技場内の照明具等、内装設備の設計自由度を向上できるし、防犯カメラの視界を広げることができるなど、優れた効果が得られるものであった。
【特許文献１】特開平６−３９１３６号公報
【発明の開示】
【発明が解決しようとする課題】
【０００４】
しかしながら、従来のように、ベルトコンベアを用いたパチンコ島では、その構成部品として、コンベアベルト及びコンベアベルトを掛け回すためのローラ等が必要になり、その構造が複雑になると共に設備コストが高くなり、また、コンベアベルトの移行やローラの回転といった駆動箇所が多く存在するため、保守点検や調整など、メンテナンスに多くの手間と費用がかかるという問題があった。
【０００５】
本発明は、上記のような問題を解決するためになされたもので、ベルトコンベアを用いてパチンコ玉を搬送させるのではなく、振動を利用してパチンコ玉を移動させることにより、その構造を簡単にさせると共に設備コストを低減させ、かつ保守点検や調整など、メンテナンスを簡略にさせることができるパチンコ島を提供することを課題としている。
【課題を解決するための手段】
【０００６】
上記の課題を解決するために、本発明（請求項１）のパチンコ島は、
島台に複数台のパチンコ機が左右方向に並設されているパチンコ島において、
各パチンコ機から排出されたパチンコ玉を回収する排玉回収路と、この排玉回収路で回収したパチンコ玉を島台の上方に設けた補給玉タンクに揚送させる揚送装置と、この補給玉タンクからのパチンコ玉を各パチンコ機に供給させる上部搬送装置と、前記補給玉タンクからのパチンコ玉を上部搬送装置内に流下させる流下シュートと、前記上部搬送装置の搬送終端部から落下した溢れ玉を前記排玉回収路に導く溢れ玉回収路とを備えており、
前記上部搬送装置は、島台の上部に弾性部材により弾性支持された状態で各パチンコ機の上方を通るように左右方向に延長して設けられると共に上面がパチンコ玉搬送面に形成された搬送フレームと、前記搬送フレームの両側に沿って島台の上部に左右方向に延長して設けられると共に上面が前記搬送フレームのパチンコ玉搬送面に連続する玉受け面に形成された玉受けプレートと、この玉受けプレートの外縁に設けられた各パチンコ機への玉供給シュートを備え、
前記搬送フレームに振動装置が取り付けられると共に、この搬送フレームの上面に形成されたパチンコ玉搬送面が搬送始端部から搬送終端部に向けて下り勾配に形成され、この下り勾配のパチンコ玉搬送面に載置されたパチンコ玉を前記振動装置の振動によって搬送始端部から搬送終端部に向けて移動させるように形成されている構成とした。
【０００７】
又、本発明（請求項２）のパチンコ島は、
請求項１記載のパチンコ島において、前記各玉供給シュートにそれぞれパチンコ玉の玉通過の有無を検出する玉通過センサが設けられ、パチンコ玉の通過を検出した玉通過センサの数に応じて前記振動装置の回転速度を増減させるように形成されている。
【発明の効果】
【０００８】
本発明（請求項１）のパチンコ島は、上部搬送装置に設けた島台の上部に弾性部材により弾性支持した搬送フレームに振動装置を取り付け、この搬送フレームの上面に形成したパチンコ玉搬送面を搬送始端部から搬送終端部に向けて下り勾配に形成した構成に特徴がある。
このように、搬送フレームに対して振動装置により振動を付与させることで、下り勾配に形成したパチンコ玉搬送面に載置したパチンコ玉を搬送始端部から搬送終端部に向けて移動させることができる。
【０００９】
これにより、ベルトコンベアを用いてパチンコ玉を搬送させる従来のパチンコ島とは異なり、その構造を簡単にさせると共に設備コストを低減させ、かつ保守点検や調整など、メンテナンスを簡略にさせることができる。
【００１０】
又、上部搬送装置から各玉供給シュートを通して各パチンコ機に供給されるパチンコ玉の量に応じて、振動装置の回転速度を増減させる構成にすると（請求項２）、パチンコ玉の玉供給不足の防止、及び搬送終端部から落下する溢れ玉の玉数を減少させることができる。
【００１１】
例えば、パチンコ島内における複数のパチンコ機のうち、その多くのパチンコ機に上部搬送装置から同時に各パチンコ機にパチンコ玉が供給されると、パチンコ玉の供給が追い付かず、パチンコ玉の供給ミスを招くおそれが生じる。
このような場合には、振動装置の回転速度を速くさせて、パチンコ玉の移動量を増大させれば、パチンコ玉の供給ミスを防止することができる。
逆に上部搬送装置から各パチンコ機へ供給されるパチンコ玉の量が少ない場合、振動装置の回転速度が速いままでは、搬送終端部から落下する溢れ玉の玉数が増加してしまう。
このような場合には、振動装置の回転速度を遅くさせて、パチンコ玉の移動量を減少させれば、搬送終端部から落下する溢れ玉の玉数を減少させることができる。
【００１２】
特に、将来において、パチンコを賭博性よりも遊戯性を重視する目的で、１００円当りの玉貸数を増加させることが考えられる（例えば、１００円当り５０玉や１００玉、ちなみに現在は１００円当り２５玉前後）。
このように玉貸数が増加した場合には、パチンコ玉の供給が追い付かないことが十分に考えられるもので、本発明によれば、このようなパチンコ玉の供給ミスといったトラブルを防止することができる。
【発明を実施するための最良の形態】
【００１３】
図１は本発明の実施例であるパチンコ島の右側半分を示す概略正面図、図２はこのパチンコ島の上部搬送装置を示す断面図、図３はその上部搬送装置を示す部分斜視図である。
【００１４】
パチンコ島Ａは、図１に示すように、島台１に複数台のパチンコ機１６が左右方向に並設されたもので、実施例では左右４台づつのパチンコ機１６が島台１の表裏に並設されている。
【００１５】
このパチンコ島Ａの内部には、パチンコ玉循環系が形成され、このパチンコ玉循環系は、各パチンコ機１６から排出されたパチンコ玉１２を回収する排玉回収路９と、この排玉回収路９で回収したパチンコ玉１２を島台１の上方に設けた補給玉タンク３に揚送させる揚送装置２と、前記補給玉タンク３からのパチンコ玉１２を各パチンコ機１６に供給させる上部搬送装置５と、前記補給玉タンク３からのパチンコ玉１２を上部搬送装置５内に流下させる流下シュート３ａと、前記上部搬送装置５の搬送終端部から落下した溢れ玉を前記排玉回収路９に導く溢れ玉回収路９ａと、を備えている。
【００１６】
前記揚送装置２は、排玉回収路９で回収したパチンコ玉１２を研磨しながら揚送するものであるが、研磨装置を揚送装置２の手前に設け、揚送装置２は揚送機能だけを有するものでもよい。
【００１７】
前記流下シュート３ａは、前記上部搬送装置５の搬送始端部Ｍに前記補給玉タンク３からのパチンコ玉１２を流下させるためのもので、上部搬送装置５の搬送始端部Ｍの上方に延出するように、補給玉タンク３の下端部に取り付けられている。
【００１８】
前記溢れ玉回収路９ａは、前記上部搬送装置５の搬送終端部Ｎから落下した溢れ玉を前記排玉回収路９に導くためのもので、上部搬送装置５の搬送終端部Ｎに設けた落下ガイド器９０と前記排玉回収路９の上端部を蛇腹ホース９１で接続することで形成されている。
【００１９】
前記上部搬送装置５は、搬送フレーム５ａと、玉受けプレート５ｂ，５ｂと、玉供給シュート５ｃとを備えている。
【００２０】
前記搬送フレーム５ａは、断面角形の横長筒状体に形成され、その上面がパチンコ玉搬送面５０に形成され、島台１の上部に弾性部材としてのスプリング５１により弾性支持された状態で各パチンコ機１６の上方を通るように左右方向に延長して設けられている。
【００２１】
又、前記搬送フレーム５ａに振動装置６が取り付けられている。
この振動装置６は、駆動モータ６ａと、モータ軸に設けた偏心部材６ｂとで形成され、前記モータ軸が搬送方向Ｘと直交するように取り付けることで、搬送フレーム５ａ（パチンコ玉搬送面５０）に対し、上下方向及び搬送前後方向に振動を付与するようになっている。
実施例では、振動装置６を搬送フレーム５ａの上面板の裏面に、搬送始端側と搬送終端側に取り付けているが、この振動装置６は１個又は複数個（２個以上）を搬送フレーム５ａに取り付けることができる。
複数個の振動装置６を取り付ける場合には、各振動装置６の振動速度及び振動位相を独立して調節可能に形成させ、例えば、振動装置６，６の間で振動速度及び振動位相にズレを生じさせるなどの調整を行うことでパチンコ玉１２の移動に最適な振動を付与できるようにしている。
【００２２】
又、搬送フレーム５ａは、その上面に形成されたパチンコ玉搬送面５０が搬送始端部Ｍから搬送終端部Ｎに向けて下り勾配になるように弾性支持されている。
パチンコ玉搬送面５０が水平面の場合、搬送フレーム５ａに振動を付与するだけでは、パチンコ玉搬送面５０上でパチンコ玉１２が踊るだけで移動しないことがあり、そこで、パチンコ玉搬送面５０を下り勾配に形成することで、振動を付与されたパチンコ玉１２が搬送終端部Ｎに向けて転がるようにさせている。
この下り勾配は、０．５／１００〜２／１００程度の勾配が適当と考える。
【００２３】
前記玉受けプレート５ｂ，５ｂは、前記搬送フレーム５ａの両側に沿って島台１の上部に左右方向に延長して設けられると共に上面が前記搬送フレーム５ａのパチンコ玉搬送面５０に連続する玉受け面５２，５２に形成され、かつその外縁部に沿って立側板５３，５３が設けられている。
この実施例では、両方の玉受けプレート５ｂ，５ｂを樋状フレーム５４によって連結させ、この樋状フレーム５４の内部に前記搬送フレーム５ａをスプリング５１により弾性支持させて、この搬送フレーム５ａのパチンコ玉搬送面５０と玉受けプレート５ｂ，５ｂの玉受け面５２，５２が連続するように形成させている。
【００２４】
前記玉供給シュート５ｃ，５ｃは、前記玉受けプレート５ｂ，５ｂの外縁に設けられ、パチンコ玉１２を各パチンコ機１６に供給するためのもので、各パチンコ機１６の上方において、前記立側板５３に形成した切欠部に嵌め込むことで取り付けられ、パチンコ機１６の裏面に設けた景品玉貯留タンク（図示省略）に蛇腹ホース１７で接続されている。
なお、前記玉受けプレート５ｂは、内縁から外縁に向けて若干の下り傾斜に形成され、パチンコ玉搬送面５０上から玉受け面５２，５２に転がり込んだパチンコ玉１２が外縁に向けて転がり易くなるようにして、各玉供給シュート５ｃへの流入がスムーズに行えるようにしている。
【００２５】
又、前記両立側板５３，５３の間には、パチンコ玉搬送面５０及び玉受け面５２，５２の上方を覆うように透明カバー１１が着脱可能に設けられている。
【００２６】
従って、各パチンコ機１６から排出された使用済のパチンコ玉１２は、排玉回収路９から揚送装置２を経る間に研磨されて補給玉タンク３に揚送され、この補給玉タンク３から流下シュート３ａによって上部搬送装置５に供給され、この上部搬送装置５を経て各パチンコ機１６に供給され、再び各パチンコ機１６から排玉回収路９に排出されるという循環を繰り返すことになる。
なお、上部搬送装置５の搬送終端部Ｎから落下した溢れ玉は溢れ玉回収路９ａから排玉回収路９に戻される。
【００２７】
そして、前記上部搬送装置５では、補給玉タンク３からのパチンコ玉１２が搬送フレーム５ａのパチンコ玉搬送面５０に供給されるが、このパチンコ玉搬送面５０に対し振動装置６により振動を付与させ、かつパチンコ玉搬送面５０を下り勾配に形成させているため、このパチンコ玉搬送面５０に載置されたパチンコ玉１２を搬送始端部Ｍから搬送終端部Ｎに向けて移動させることができる。
【００２８】
又、前記パチンコ島Ａの上部搬送装置５において、各玉供給シュート５ｃにそれぞれパチンコ玉１２の玉通過の有無を検出する玉通過センサＳが設けられている。
この玉通過センサＳは、パチンコ玉１２に接触又は非接触でパチンコ玉１２の通過を検出するマイクロスイッチが用いられ、上部搬送装置５の各玉供給シュート５ｃにそれぞれ設けられた玉通過センサのうち、パチンコ玉１２の通過を検出した玉通過センサＳの数に応じて前記振動装置６の回転速度を増減させるように形成されている。
【００２９】
前記した振動装置６の回転速度の制御系ブロック図を図４に示す。
各玉供給シュート５ｃにそれぞれ設けられた玉通過センサＳからの検出信号は制御部７に入力され、この制御部７から振動装置６の駆動モータ６ａにモータ回転数（高速回転、中速回転、低速回転の３段階）の制御信号が出力されるようになっている。
前記制御部７は、制御処理を行うＣＰＵ７０、このＣＰＵ７０で実行される各種制御プログラムやデータ等を記憶するＲＯＭ７１、ＣＰＵ７０によって作動領域として利用されるＲＡＭ７２、及び入出力ポート７３を備えている。
このように、制御部７は、パチンコ玉１２の通過を検出した玉通過センサＳからの検出信号を受信し、その検出信号数が設定範囲内の場合には、振動装置６の駆動モータ６ａを中速回転で回転させるように指令する信号を出力させ、検出信号数が設定範囲よりも多い場合にはパチンコ玉の供給量が多いものと判断して駆動モータ６ａを高速回転で回転させるように指令する信号を出力させ、検出信号数が設定範囲よりも少ない場合にはパチンコ玉の供給量が少ないものと判断して駆動モータ６ａを低速回転で回転させるように指令する信号を出力させるものである。
【００３０】
従って、例えば、パチンコ島Ａ内における複数のパチンコ機１６のうち多くのパチンコ機１６に同時に玉供給シュート５ｃを通してパチンコ玉１２が供給されると、パチンコ玉１２の供給が追い付かず、パチンコ玉１２の供給ミスを招くおそれが生じる。
このような場合には、玉通過センサＳによる検出信号数が制御部７に数多く入力されることから、制御部７から駆動モータ６ａに高速回転の信号が出力され、これに基づき振動装置６の回転速度が速くなり、パチンコ玉１２の移動量が増大しパチンコ玉の供給ミスを防止することができる。
【００３１】
又、各パチンコ機１６へ供給されるパチンコ玉１２の量が少ない場合、振動装置６の回転速度が速いままでは、搬送終端部Ｎから落下する溢れ玉の玉数が増加してしまう。
このような場合には、振動装置の回転速度を遅くさせて、パチンコ玉１２の移動量を減少させれば、搬送終端部Ｎから落下する溢れ玉の玉数を減少させることができる。
【００３２】
尚、本実施例では、振動装置６の回転速度を制御するために、駆動モータ６ａに高速回転、中速回転、低速回転の３段階の速度を設定したが、２段階でもよいし、３段階以上の多段階でもよいし、無段変速でもよい。
【図面の簡単な説明】
【００３３】
【図１】本発明の実施例であるパチンコ島の右側半分を示す概略正面図である。
【図２】このパチンコ島の上部搬送装置を示す断面図である。
【図３】その上部搬送装置を示す部分斜視図である。
【図４】振動装置の回転速度の制御系ブロック図である。
【符号の説明】
【００３４】
１  島台
１１  透明カバー
１２  パチンコ玉
１６  パチンコ機
１７  蛇腹ホース
２  揚送装置
３  補給玉タンク
３ａ  流下シュート
５  上部搬送装置
５ａ  搬送フレーム
５ｂ  玉受けプレート
５ｃ  玉供給シュート
５０  パチンコ玉搬送面
５１  スプリング
５２  玉受け面
５３  立側板
５４  樋状フレーム
６  振動装置
６ａ  駆動モータ
６ｂ  偏心部材
７  制御部
７０  ＣＰＵ
７１  ＲＯＭ
７２  ＲＡＭ
７３  入出力ポート
９  排玉回収路
９ａ  溢れ玉回収路
９０  落下ガイド器
９１  蛇腹ホース
Ａ  パチンコ島
Ｍ  搬送始端部
Ｎ  搬送終端部
Ｓ  玉通過センサ
Ｘ  搬送方向
【図１】
2008104580.tif 000003
【図２】
2008104580.tif 000004
【図３】
2008104580.tif 000005
【図４】
2008104580.tif 000006